【手続補正書】
【提出日】平成20年12月4日(2008.12.4)
【手続補正１】
【補正対象書類名】特許請求の範囲
【補正対象項目名】全文
【補正方法】変更
【補正の内容】
【特許請求の範囲】
【請求項１】
コンテンツに埋め込まれた副情報を抽出する情報抽出装置において、
コンテンツを取得する取得手段と、
取得された前記コンテンツに埋め込まれた情報を抽出する情報抽出手段と、
前記コンテンツの関連情報を入力する関連情報入力手段と、
前記関連情報に対応づけられているコンテンツの副情報を取得する対応副情報取得手段と、
前記対応副情報取得手段が取得した副情報に基づき、抽出された情報から取得された前記コンテンツの副情報を生成する副情報生成手段と
を有することを特徴とする情報抽出装置。 
【請求項２】
前記副情報生成手段は、コンテンツの関連情報に対応づけられている複数の副情報のうち、抽出された前記情報との類似度が最も高い副情報を選択することを特徴とする請求項１記載の情報抽出装置。
【請求項３】
情報がコンテンツから抽出される確率、又は、前記情報が前記コンテンツから抽出される場合の信頼度を算出する信頼度算出手段を有し、
前記副情報生成手段は、コンテンツの関連情報に対応づけられている複数の副情報のうち、前記確率又は前記信頼度が最も高い副情報を選択することを特徴とする請求項１記載の情報抽出装置。
【請求項４】
前記信頼度算出手段は、前記抽出情報についてビット毎に信頼度を算出し、
前記副情報生成手段は、前記抽出情報の信頼度が所定の値より小さなビットの全てについて、１又は０の値を当てはめた組み合わせのうち、コンテンツの関連情報に対応づけられている副情報のビット列と類似の度合いが最も高い情報を選択することを特徴とする請求項３記載の情報抽出装置。
【請求項５】
前記関連情報入力手段は、前記信頼度算出手段が算出する確率又は信頼度が所定の値より小さな場合に、前記関連情報を入力することを特徴とする請求項１ないし４記載の情報抽出装置。
【請求項６】
コンテンツに埋め込まれた副情報を抽出させる情報抽出プログラムにおいて、
コンピュータに、
コンテンツを取得する取得ステップと、
取得された前記コンテンツに埋め込まれた情報を抽出する情報抽出ステップと、
前記コンテンツの関連情報を入力する関連情報入力ステップと、
前記関連情報に対応づけられているコンテンツの副情報を取得する対応副情報取得ステップと、
前記対応副情報取得ステップで取得された副情報に基づき、抽出された情報から取得された前記コンテンツの副情報を生成する副情報生成ステップと
を実行させるための情報抽出プログラム。
【請求項７】
前記副情報生成ステップでは、コンテンツの関連情報に対応づけられている複数の副情報のうち、抽出された前記情報との類似度が最も高い副情報が選択されることを特徴とする請求項６記載の情報抽出プログラム。
【請求項８】
情報がコンテンツから抽出される確率、又は、前記情報が前記コンテンツから抽出される場合の信頼度を算出する信頼度算出ステップをさらに含み、
前記副情報生成ステップでは、コンテンツの関連情報に対応づけられている複数の副情報のうち、前記確率又は前記信頼度が最も高い副情報が選択されることを特徴とする請求項６記載の情報抽出プログラム。
【請求項９】
前記信頼度算出ステップでは、前記抽出情報についてビット毎に信頼度が算出され、
前記副情報生成ステップでは、前記抽出情報の信頼度が所定の値より小さなビットの全てについて、１又は０の値を当てはめた組み合わせのうち、コンテンツの関連情報に対応づけられている副情報のビット列と類似の度合いが最も高い情報が選択されることを特徴とする請求項８記載の情報抽出プログラム。
【請求項１０】
前記関連情報入力ステップでは、前記信頼度算出ステップで算出される確率又は信頼度が所定の値より小さな場合に、前記関連情報が入力されることを特徴とする請求項６ないし９記載の情報抽出プログラム。
【手続補正２】
【補正対象書類名】明細書
【補正対象項目名】０００９
【補正方法】変更
【補正の内容】
【０００９】
本発明は、上記の点に鑑みて、これらの問題を解消するために発明されたものであり、コンテンツに埋め込む情報の本来の量を減ずることなく、埋め込まれた情報がコンテンツの編集等に対する耐性を有する情報埋め込み装置によって埋め込まれた情報を抽出する情報抽出装置及び情報抽出プログラムを提供することを目的としている。
【手続補正３】
【補正対象書類名】明細書
【補正対象項目名】００１３
【補正方法】変更
【補正の内容】
【００１３】
また、上記目的を達成するために、本発明のコンテンツに埋め込まれた副情報を抽出する情報抽出装置において、コンテンツを取得する取得手段と、取得された前記コンテンツに埋め込まれた情報を抽出する情報抽出手段と、前記コンテンツの関連情報を入力する関連情報入力手段と、前記関連情報に対応づけられているコンテンツの副情報を取得する対応副情報取得手段と、前記対応副情報取得手段が取得した副情報に基づき、抽出された情報から取得された前記コンテンツの副情報を生成する副情報生成手段とを有する構成とすることができる。
【手続補正４】
【補正対象書類名】明細書
【補正対象項目名】００１５
【補正方法】変更
【補正の内容】
【００１５】
また、上記目的を達成するために、本発明の情報抽出装置における前記副情報生成手段は、コンテンツの関連情報に対応づけられている複数の副情報のうち、抽出された前記情報との類似度が最も高い副情報を選択する構成とすることができる。
【手続補正５】
【補正対象書類名】明細書
【補正対象項目名】００１７
【補正方法】変更
【補正の内容】
【００１７】
また、上記目的を達成するために、本発明の情報抽出装置は、情報がコンテンツから抽出される確率、又は、前記情報が前記コンテンツから抽出される場合の信頼度を算出する信頼度算出手段を有し、前記副情報生成手段は、コンテンツの関連情報に対応づけられている複数の副情報のうち、前記確率又は前記信頼度が最も高い副情報を選択する構成とすることができる。
【手続補正６】
【補正対象書類名】明細書
【補正対象項目名】００１９
【補正方法】変更
【補正の内容】
【００１９】
また、上記目的を達成するために、本発明の情報抽出装置における前記信頼度算出手段は、前記抽出情報についてビット毎に信頼度を算出し、前記副情報生成手段は、前記抽出情報の信頼度が所定の値より小さなビットの全てについて、１又は０の値を当てはめた組み合わせのうち、コンテンツの関連情報に対応づけられている副情報のビット列と類似の度合いが最も高い情報を選択する構成とすることができる。
【手続補正７】
【補正対象書類名】明細書
【補正対象項目名】００３７
【補正方法】変更
【補正の内容】
【００３７】
また、上記目的を達成するために、情報埋め込みプログラムは、上記情報埋め込み方法をコンピュータに実行させるプログラムであるように構成することができる。
【手続補正８】
【補正対象書類名】明細書
【補正対象項目名】００３８
【補正方法】変更
【補正の内容】
【００３８】
また、上記目的を達成するために、本発明の情報抽出プログラムは、コンテンツに埋め込まれた副情報を抽出させる情報抽出プログラムにおいて、コンピュータに、コンテンツを取得する取得ステップと、取得された前記コンテンツに埋め込まれた情報を抽出する情報抽出ステップと、前記コンテンツの関連情報を入力する関連情報入力ステップと、前記関連情報に対応づけられているコンテンツの副情報を取得する対応副情報取得ステップと、前記対応副情報取得ステップで取得された副情報に基づき、抽出された情報から取得された前記コンテンツの副情報を生成する副情報生成ステップと、を実行させるように構成することができる。
【手続補正９】
【補正対象書類名】明細書
【補正対象項目名】００３９
【補正方法】変更
【補正の内容】
【００３９】
また、上記目的を達成するために、情報記憶媒体は、コンピュータ読取可能な記憶媒体であって、上記情報埋め込みプログラム又は本発明の情報抽出プログラムを記憶するような構成とすることができる。
【手続補正１０】
【補正対象書類名】明細書
【補正対象項目名】００４０
【補正方法】変更
【補正の内容】
【００４０】
本発明によれば、コンテンツに埋め込む情報の本来の量を減ずることなく、埋め込まれた情報がコンテンツの編集等に対する耐性を有する情報埋め込み装置によって埋め込まれた情報を抽出する情報抽出装置及び情報抽出プログラムを提供することができる。